(57)【要約】【課題】電気部品箱の大型化を抑制し、空調運転にともなって発熱し高温となる部品の、発熱の少ない部品に対する熱影響がおよび難い構成とした空気調和機の室外機を提供する。【解決手段】底板から垂直に立設される仕切り板によって底板上に設置される送風機および室外熱交換器を備えた熱交換室と圧縮機を備えた機械室とに区画され、仕切り板の上端に機械室と熱交換室とを跨ぐように電気部品箱が載設される。電気部品箱内に、複数のインダクタンスと、スイッチング素子と、ダイオードおよびコンデンサ等を有するインターリーブＰＦＣ回路を組み込んだインバータ基板を収納する。空調運転時に高温となるインバータ基板上の部品を熱交換室側に配置し、空調運転時に発熱の少ない部品を機械室側に配置し、高温となる部品と発熱の少ない部品との間にヒートシンクを介在し、ヒートシンクは空調運転時に高温となる部品とともに熱交換室側に配置する。【選択図】図１
2014044007.tif 000002
【特許請求の範囲】
【請求項１】
底板から垂直に立設される仕切り板によって、前記底板上に設置される送風機および室外熱交換器を備えた熱交換室と圧縮機を備えた機械室とに区画され、前記仕切り板の上端に前記機械室と前記熱交換室とを跨ぐように電気部品箱が載設される空気調和機の室外機において、
前記電気部品箱内に、複数のインダクタンスと、スイッチング素子と、ダイオードおよびコンデンサ等を有する複数の昇圧回路からなるインターリーブＰＦＣ回路を組み込んだインバータ基板を収納し、
空調運転時に高温となる前記インバータ基板上の部品を前記熱交換室側に配置し、空調運転時に発熱の少ない部品を前記機械室側に配置し、前記高温となる部品と発熱の少ない部品との間にヒートシンクを介在し、
前記ヒートシンクは、空調運転時に高温となる部品とともに前記熱交換室側に配置する
ことを特徴とする空気調和機の室外機。
【請求項２】
前記インバータ基板上の、空調運転時に高温となる部品は、前記インターリーブＰＦＣ回路の構成部品である前記インダクタンスである
ことを特徴とする請求項１記載の空気調和機の室外機。
【請求項３】
前記インバータ基板上の、空調運転時に発熱の少ない部品は、前記インターリーブＰＦＣ回路上の構成部品である前記コンデンサである
ことを特徴とする請求項１記載の空気調和機の室外機。
【請求項４】
前記ヒートシンクは、前記インターリーブＰＦＣ回路を構成するスイッチング素子、ダイオード、ダイオードブリッジ、ＩＰＭ等の発熱部品と接して配置した
ことを特徴とする請求項１記載の空気調和機の室外機。
【請求項５】
前記電気部品箱の前記インダクタンスが配置される部位に、水の浸入を防止する防水板と、前記送風機の作動にともなって生じる風の一部を前記電気部品箱内に導く開口部を設けた
ことを特徴とする請求項１記載の空気調和機の室外機。
【請求項６】
前記電気部品箱は、下面一部に凹字状の窪み部が形成され、
前記ヒートシンクの根元部は、前記電気部品箱の前記窪み部内に覆われ、根元部を除くフィンは前記電気部品箱の前記窪み部から下方へ突出する
ことを特徴とする請求項１記載の空気調和機の室外機。
【請求項７】
前記電気部品箱の前記インダクタンスが収納される部位よりも、前記ヒートシンクのフィン先端が下方へ突出する
ことを特徴とする請求項１記載の空気調和機の室外機。
【請求項８】
前記電気部品箱は、前記ヒートシンクの根元部を支持し、フィンを垂下させる金属板からなる基板収納箱を備える
ことを特徴とする請求項１記載の空気調和機の室外機。
【請求項９】
空調運転時に高周波スイッチングを行う高ノイズ部品を、前記電気部品箱の金属板からなる前記基板収納箱部分と前記ヒートシンクとで囲む
ことを特徴とする請求８記載の空気調和機の室外機。
【発明の詳細な説明】
【技術分野】
【０００１】
本発明の実施態様は、電気部品箱を備えた空気調和機の室外機に関する。
【背景技術】
【０００２】
空気調和機の室外機は、底部から垂直に立設される仕切り板によって、底板上に送風機および室外熱交換器が設置される熱交換室と、圧縮機が設置される機械室とに区画される。仕切り板の上端に機械室と熱交換室とを跨いて電気部品箱が載設され、この内部には、圧縮機や送風機等を駆動制御するための電気制御部品が収容される。
【０００３】
特に、空調運転にともなって発熱が著しい昇圧用トランスは、電気部品箱と分離して配置されていた。電気部品箱内に収容されるインバータ基板には、電気制御部品であるスイッチング素子や電解コンデンサ等が実装され、放熱用のヒートシンクが取付けられる。ヒートシンクは放熱し易いよう、最も熱交換室側の端部下面に露出して取付けられる。
【先行技術文献】
【特許文献】
【０００４】
【特許文献１】特開２００４−１２５２６０号公報
【発明の概要】
【発明が解決しようとする課題】
【０００５】
昇圧用トランスは重量物であり、しかも発熱が著しい部品であるので、インバータ基板から別個に構成し、電気部品箱とは分離した位置に配置していた。したがって、電気部品箱とは別に昇圧トランスを取付けるためのスペースが必要となり、室外機の構造が複雑化し、筐体の大型化を招いていた。
【０００６】
また、空調運転にともなって高温となる部品であるスイッチング素子等を一側部位置にまとめて配置し、発熱の少ない部品である電解コンデンサ等を他側部位置にまとめて実装している。しかしながら、１つの箱内に高温となる部品と発熱の少ない部品を収容することで、箱内の昇温化が避けられない状態となっている。
【０００７】
このような事情から、電気部品箱の大型化を抑制し、空調運転にともなって発熱し高温となる部品からの、発熱の少ない部品に対する熱影響がおよび難い構成とした空気調和機の室外機が望まれていた。
【課題を解決するための手段】
【０００８】
本実施形態における空気調和機の室外機は、底板から垂直に立設される金属製仕切り板によって底板上に設置される送風機および室外熱交換器を備えた熱交換室と圧縮機を備えた機械室とに区画され、仕切り板の上端に機械室と熱交換室とを跨ぐように電気部品箱が載設される。  
電気部品箱内に、複数のインダクタンスと、スイッチング素子と、ダイオードおよびコンデンサ等を有する複数の昇圧回路からなるインターリーブＰＦＣ回路を組み込んだインバータ基板を収納し、空調運転時に高温となるインバータ基板上の部品を熱交換室側に配置し、空調運転時に発熱の少ない部品を機械室側に配置する。  
高温となる部品と発熱の少ない部品との間にヒートシンクを介在し、ヒートシンクは空調運転時に高温となる部品とともに熱交換室側に配置する。
【図面の簡単な説明】
【０００９】
【図１】本実施形態に係る、空気調和機の室外機一部を分解した斜視図。
【図２】同実施形態に係る、送風機駆動時における風の流れを説明する室外機の横断平面図。
【図３】同実施形態に係る、電気部品箱の平面図と正面図。
【図４】同実施形態に係る、電気部品箱を裏返した状態の分解斜視図。
【図５】同実施形態に係る、電気部品箱を裏返した状態の基盤収納箱を取除いた電気部品箱内部の状態を示す斜視図。
【図６】同実施形態に係る、電気部品箱内の温度対策を説明する電気部品箱の正面からみた断面図。
【図７】同実施形態に係る、送風機駆動時の水の飛散状況を説明する室外機の前面板を外した正面図。
【図８】同実施形態に係る、送風機と電気部品箱構造の位置関係を説明するための図７の要部を拡大した正面図。
【図９】同実施形態に係る、電気部品箱内のノイズ対策を説明する電気部品箱の正面からみた断面図。
【発明を実施するための形態】
【００１０】
以下、本実施形態を図面にもとづいて説明する。  
図１は、空気調和機の室外機の一部を分解した斜視図である。  
すなわち、底板１ａ上に後述する構成部品と仕切り板２を載設し、前面板１ｂおよび天板１ｃを取外した状態を示す。前面板１ｂにはファンガード３が嵌め込まれるが、天板１ｃは開口部が無い平板状をなす。底板１ａと前面板１ｂと天板１ｃと側面板１ｄおよび背面板で、筐体である室外機本体１が構成される。
【００１１】
前記仕切り板２の一側は、平面視で略Ｌ字状の室外熱交換器４と、この室外熱交換器４と対向して送風機５が底板１ａ上に配置される熱交換室６となっている。仕切り板２の他側は、圧縮機７や気液分離器８およびこれらに接続する配管類９が収容される機械室１０となっている。
【００１２】
仕切り板２の上端部には、電気部品箱Ｄが載設される。電気部品箱Ｄの一側部は熱交換室６に突出し、他側部は機械室１０に突出する。電気部品箱Ｄが載設される部位のみ仕切り板２の上端部が凹陥形成されていて、電気部品箱Ｄの上面高さが室外熱交換器４の上端高さと略一致する。
【００１３】
図２は、熱交換室６に配置される送風機５を駆動した際の、電気部品箱Ｄに係る風の流れを説明する室外機の横断平面図である。  
上述したように電気部品箱Ｄの一部は熱交換室６に突出して配置されることから、底板１ａ上に配置される送風機５の一部が電気部品箱Ｄに隠れて見えない。室外機本体１を構成する背面板１ｅと、図の左側の側面板１ｄは略枠体からなり、室外熱交換器４が露出する。送風機５を駆動することで、室外熱交換器４の背面と側面から外気が吸込まれる。
【００１４】
外気が室外熱交換器４を流通して熱交換し、仕切り板２に案内されて熱交換室６を流通する。一部の外気は電気部品箱Ｄに沿って流通し、この外面側から冷却する。すなわち、電気部品箱Ｄの熱交換室６に突出する部位の側面部と下面部に外気が流れ、図１に示した前面板１ｂのファンガード３から外部へ吹出される。
【００１５】
図３（Ａ）は、電気部品箱Ｄの平面図であり、図３（Ｂ）は、電気部品箱Ｄの正面図である。  
電気部品箱Ｄは、外殻が、上面部を形成する蓋状の基板収納箱カバー１１と、その下部に形成される上面が開口した箱状の基板収納箱１２により構成される。
【００１６】
この基板収納箱１２は、中央よりも一側部寄りの部位が凹字状の窪み部１２ａが形成され、ヒートシンク１３のフィン１３ａが突出している。ヒートシンク１３の根元部１３ｂは電気部品箱Ｄの窪み部１２ａと対向し、ここに遮蔽されている。
【００１７】
図４は、電気部品箱Ｄを裏返した状態の分解斜視図であり、室外機本体１に組み込まれる実際の配置とは上下面を逆に図示している。すなわち、電気部品箱Ｄとして組立てた後、上下面を逆にした状態にして、仕切り板２の上端部に載設されることになる。
【００１８】
先に図３で説明した上面部を構成する基板収納箱カバー１１を、図４の最も下位に示す。基板収納箱カバー１１は金属板からなり、平板状で、周辺部に沿って上方へ折り返した辺部を備える。この基板収納箱カバー１１の上部位置にインバータ基板（プリント配線基板）１５が配置される。
【００１９】
インバータ基板１５には、概略的に示すプリント配線１６が施されるとともに、図の上面に後述する電気制御部品が実装され、さらに、上述したヒートシンク１３が取付けられる。
【００２０】
ヒートシンク１３は、放熱性の優れた金属材からなり、根元部１３ｂと、この根元部１３ｂから狭小の間隙を存して一体に立設される複数枚のフィン１３ａとからなる。特に、根元部１３ｂは両側方へ突出する鍔部１３ｃを一体に備えている。
【００２１】
インバータ基板１５上は、樹脂モールド品からなる枠状の基板支え１７内に嵌め込まれて収容され、基板支え１７内に挟み込み固定する。基板支え１７の左右方向中央部からわずかに左側部に寄った位置に、基板支え１７の前後方向に亘ってヒートシンク１３の根元部１３ｂを掛止し、フィン１３ａを突出させるための嵌め込み部１７ａが設けられる。
【００２２】
この嵌め込み部１７ａにインバータ基板１５上に取付けられたヒートシンク１３が下側から嵌め込まれ上方に突出するように取付けられる。すなわち、ヒートシンク１３が取付けられたインバータ基板１５が、この基板支え１７に嵌め込まれて固定される。
【００２３】
このようなインバータ基板１５が取付けられた基板支え１７の上部に金属板からなる基板収納箱１２が被冠され、嵌め込まれる。  
この基板収納箱１２は、下面部が開口し、前後面の中央部から左側部に寄った位置が凹陥形成され、上面部が開口する、上述した窪み部１２ａとなっている。窪み部１２ａよりも左側部の上面高さＨ１は、窪み部１２ａよりも右側部の上面高さＨ２よりも低い。
【００２４】
この基板収納箱１２を、ヒートシンク１３が取付けられたインバータ基板１５が嵌め込まれて固定されている基板支え１７に嵌め込むと、この基板収納箱１２の窪み部１２ａから上方に、ヒートシンク１３のフィン１３ａが延出形成されることになる。
【００２５】
基板収納箱１２の左側部には多数の小孔からなる通風用開口部１９が設けられ、さらに、この外面には差し込み部ｅ，ｅが設けられていて、金属板からなる防水板２０が取付けられる。防水板２０は、周端部を除いて反基板収納箱１２側である外面側に突出形成され、一側部のみ開口部２０ａを有する。
【００２６】
防水板２０を基板収納箱１２に取付けた状態で、防水板２０は基板収納箱１２に設けられる通風用開口部１９とその周囲を覆うが、開口部２０ａが設けられることで、開口部２０ａから通風用開口部１９を介して基板収納箱１２内部への風の流通を許容する。
【００２７】
基板収納箱１２の窪み部１２ａを形成する左右両側の部位と、左側部までの上面部は板体が存在する。窪み部１２ａの右側部から上面部の略半分程度は板体が存在するが、残り略半分は板体が存在せず開口される。
【００２８】
上記インバータ基板１５が固定される基板支え１７に嵌め込まれた基板収納箱１２の下面側開口は、基板支え１７を内部に収容するようにして基板収納箱カバー１１により遮蔽される。そして、基板収納箱１２の下端周辺部と、基板収納箱カバー１１の上方へ折り返した辺部とを嵌め合わせることで、固定される。
【００２９】
したがって、この基板収納箱１２と基板収納箱カバー１１とにより電気部品箱Ｄの外殻筐体が構成され、内部に基板支え１７に固定されたインバータ基板１５に取付けられた電気部品が収容される。
【００３０】
基板収納箱１２の上面開口からインバータ基板１５の一部が露出し、窪み部１２ａからヒートシンク１３が露出するが、他の部位は基板支え１７と基板収納箱１２との組合せ体によって遮蔽される。
【００３１】
すなわち、ヒートシンク１３の鍔部１３ｃが基板支え１７の嵌め込み部１７ａに押さえ付けられ、この上に基板収納箱１２の窪み部１２ａ周端部が載る。電気部品箱Ｄを仕切り板２上端部に取付けるため上下逆にすると、ヒートシンク１３は基板支え１７の嵌め込み部１７ａを介して基板収納箱１２の窪み部１２ａ周端部に支持されることとなる。
【００３２】
ここでは、ヒートシンク１３から左側部の電気部品箱Ｄ内部を、「第１の収納室Ｄａ」と呼び、ヒートシンク１３から右側部の電気部品箱Ｄ内部を、「第２の収納室Ｄｂ」と呼ぶ。
【００３３】
上述したように、電気部品箱Ｄ自体が金属板からなる基板収納箱１２と基板収納箱カバー１１とで構成されるとともに、ヒートシンク１３が金属板からなるので、第１の収納室Ｄａに位置するインバータ基板１５に実装される電気制御部品は、全周囲を金属板で囲まれ、略密閉状態となる。
【００３４】
これに対して第２の収納室Ｄｂに位置するインバータ基板１５に実装される電気制御部品は、基板収納箱１２の周囲と上面半分を金属板で囲まれるが、上面残り半分が開口しているので、半開放状態になっている。
【００３５】
図５は、電気部品箱Ｄを裏返した状態の基板収納箱１２を取除いた、電気部品箱Ｄ内部の状態の斜視図である。換言すれば、インバータ基板１５を基板支え１７内に収容し嵌め込んだ状態を示していて、ここから基板収納箱１２と基板収納箱カバー１１とを上下方向から挟むように被冠すれば、電気部品箱Ｄが完成する。
【００３６】
以下、図４および図５をもとに、インバータ基板１５に実装される電気制御部品について詳述する。  
インバータ基板１５の図における左側部に、３個のインダクタンス（「昇圧用チョークコイル」とも呼ばれる）２２が一列に並んで実装される。いずれも、空調運転にともなって発熱し高温となり、高周波スイッチング部分なので、高ノイズの発生源となる。  
以上の電気制御部品は、電気部品箱Ｄ内に形成される、上述した第１の収納室Ｄａに配置されることとなる。
【００３７】
図４のみ示すように、インバータ基板１５の中央部から左側部寄りの部分、すなわちインダクタンス２２の右側部には、手前側に３個のスイッチング素子（たとえば、ＰＦＣ用ＭＯＳＦＥＴ：ＩＧＢＴ…電界効果型トランジスタ。「昇圧用パワー素子」とも呼ばれる）２３と、３個のダイオード２４が並んで実装される。
【００３８】
同じ位置の奥側に、ダイオードブリッジ２５と、ＩＰＭ（ｉｎｔｅｌｌｉｇｅｎｔ  ｐｏｗｅｒ  ｍｏｄｕｌｅ：「電源モジュール」とも呼ばれる）２６が前後に並んで実装される。
【００３９】
これら電気制御部品は、空調運転にともなって発熱が著しいので、図５に示すようにヒートシンク１３を配置して放熱させる。すなわち、ヒートシンク１３の根元部１３ｂを以上の電気制御部品上に配置し、このフィン１３ａを基板支え１７の嵌め込み部１７ａ内に挿通させる。ヒートシンク１３の鍔部１３ｃが基板支え１７の嵌め込み部１７ａ周縁に掛止され、かつ基板収納箱１２の窪み部１２ａ周縁部に支持されて、位置が固定する。
【００４０】
インバータ基板１５の残りのスペースには、複数個の電解コンデンサ（インバータ用電解コンデンサ）２７と、複数個のノイズフィルタ２８および複数の大規模集積回路、抵抗類、リード線接続端子類等が実装される。特に、電解コンデンサ２７は、空調運転にともなって発熱が少なく、比較的低温を保持する。  
これら電気制御部品は、電気部品箱Ｄ内に形成される、上述した第２の収納室Ｄｂに位置することとなる。
【００４１】
インバータ基板１５には以上の電気制御部品が実装されていて、複数の昇圧回路からなるインターリーブＰＦＣ回路（ＰＦＣ：Ｐｏｗｅｒ  Ｆａｃｔｏｒ  Ｃｏｎｔｒｏｌ  …力率改善）が構成される。
【００４２】
これは入力側の力率を改善する力率改善回路として使用され、インダクタンス（昇圧用チョークコイル）２２と、スイッチング素子（昇圧用パワー素子）２３と、ダイオード２４からなる回路（いわゆる、昇圧回路）を、複数設けて、これらに属するスイッチング素子２３の導通タイミングを互いに異ならせて、動作させる。したがって、個々の回路への電流負荷が軽減され、構成部品の小型化が図れる。
【００４３】
ここでは、インダクタンス２２を構成する昇圧用チョークコイルを３個搭載し、昇圧用パワー素子として、スイッチング素子２３を３個搭載し、ダイオード２４を３個搭載して、３つの昇圧回路で制御した直流電圧をもとに、圧縮機７および送風機５のモータを駆動制御する。
【００４４】
図６は、本実施形態に係る、電気部品箱Ｄ内の温度対策を説明する電気部品箱Ｄの正面からみた断面図である。  
以上説明したインターリーブＰＦＣ回路を組み込んだインバータ基板１５を電気部品箱Ｄ内に収納したうえに、空調運転時に高温となるインバータ基板１５上の電気制御部品であるインダクタンス２２を第１の収納室Ｄａに配置する。換言すれば、第１の収納室Ｄａ内は比較的高温部となり、これを熱交換室６側に配置する。
【００４５】
また、空調運転時に発熱の少ない部品を第２の収納室Ｄｂに配置する。換言すれば、第２の収納室Ｄｂは比較的低温部となり、これを機械室１０側に配置する。  
第１の収納室Ｄａと第２の収納室Ｄｂとの間である、上記高温部と低温部との間に、ヒートシンク１３が介在する。そして、図１に示すように、ヒートシンク１３は仕切り板２よりも熱交換室６側に配置する。
【００４６】
空調運転開始とともに熱交換室６に配置される送風機５が駆動され、上述のように外気が吸い込まれて室外熱交換器４を流通し、熱交換した後、外部へ排出される。熱交換室６に導かれた外気の一部は、図６に実線矢印に示すように、防水板２０の端部に形成される開口部２０ａから通風用開口部１９を介して第１の収納室Ｄａに入る。
【００４７】
第１の収納室Ｄａに配置されるインダクタンス２２は高温化しているが、ここに導かれる外気によって効率良く冷却される。インダクタンス２２を冷却した外気はヒートシンク１３と衝突し、ヒートシンク１３に沿って流れ、電気部品箱Ｄ外部へ流れる。  
ヒートシンク１３の存在により、図に破線矢印で示すように、第１の収納室Ｄａに流入した外気は、第２の収納室Ｄｂ側へは流れ難い。
【００４８】
第２の収納室Ｄｂには、空調運転時に発熱の少ない部品である、電解コンデンサ２７等が収納されているので、積極的な冷却は不要である。しかも電気部品箱Ｄ自体、第２の収納室Ｄｂは半開放状態にあり、必然的に放熱がなされるとともに、高温空気が流れる第１の収納室Ｄａとの間にヒートシンク１３が介在していて、高温空気の第２の収納室Ｄｂへの流入を阻止するので、高温化が避けられる。
【００４９】
また、スイッチング素子２３、ダイオード２４、ダイオードブリッジ２５、ＩＰＭ２６等の発熱部品を、インバータ基板１５の略中央部に配置して、ヒートシンク１３を接触し固定した。ヒートシンク１３から熱交換室６側に特に発熱の大きいインダクタンス２２を配置した。これらインダクタンス２２の発熱の影響を避けたいインバータ用電解コンデンサ２７を、ヒートシンク１３を介してインダクタンス２２の反対側に配置した。
【００５０】
インターリーブＰＦＣ回路を搭載したインバータ基板１５は、従来回路では基板の外部に配置していた重量の重いリアクタの代りに、リアクタよりも重量の軽いインダクタンス２２をインバータ基板１５に搭載することができる。
【００５１】
しかしながら、インダクタンス２２は発熱が大きいために、寿命に影響のあるインバータ用電解コンデンサ２７を近くに配置すると、電解コンデンサ２７の信頼性に影響を与えてしまう。
【００５２】
ここでは、ヒートシンク１３を挟んで発熱の大きいインダクタンス２２を熱交換室６側である第１の収納室Ｄａに配置し、送風機５からの風で冷却を行うことができる。電解コンデンサ２７を、インダクタンス２２とはヒートシンク１３を挟んで反対側の第２の収納室Ｄｂに配置することで、インバータ基板１５上の電気制御部品の温度をバランスよく低減することができる。
【００５３】
図７は、送風機駆動時の雨滴など水の飛散状況を説明する室外機の前面板を外した正面図である。  
降雨時は、外気とともに雨滴が室外機本体１内に吸い込まれ、室外熱交換器４および送風機５に付着した後、外部へ排出される。一部の雨滴は、送風機５によって周辺へ跳ね飛ばされ、その一部が電気部品箱Ｄと仕切り板２に降りかかるのは止むを得ない。
【００５４】
電気部品箱Ｄ内には、インバータ基板１５とともに多数の電気制御部品が収納されているので、雨滴の浸入は確実に阻止しなければならない。ただし、仕切り板２から熱交換室６側に突出するのは、上述のように第１の収納室Ｄａとヒートシンク１３であり、第２の収納室Ｄｂは突出しない。
【００５５】
図８は、送風機と電気部品箱Ｄ構造の位置関係を説明するための図７の要部を拡大した正面図である。  
ここでは、仕切り板２から熱交換室６側へ突出する電気制御部品について、以下のように雨滴の浸入を阻止する。
【００５６】
電気部品箱Ｄ自体、外周面は金属板で密閉構造をなしていて、外周面からの雨滴の浸入は阻止される。唯一、電気部品箱Ｄの熱交換室６突出側端部に通風用開口部１９が設けられ外気の浸入を許容するが、通風用開口部１９は防水板２０によって覆われているので、雨滴の浸入は阻止される。
【００５７】
電気部品箱Ｄに窪み部１２ａが形成され、ここからヒートシンク１３のフィン１３ａが露出しているが、送風機５から飛散する雨滴が降りかかっても問題ない。かえって、フィン１３ａが効率良く冷却され、放熱効果を増大できる。
【００５８】
ヒートシンク１３の根元部１３ｂは、上述したようにスイッチング素子２３、ダイオード２４、ダイオードブリッジ２５、ＩＰＭ２６等の電気制御部品と接触しているので、ここに雨滴が降りかかるのは避けなければならない。
【００５９】
実際に、ヒートシンク１３は電気部品箱Ｄの窪み部１２ａに位置し、フィン１３ａは窪み部１２ａから露出するが、根元部１３ｂは窪み部１２ａ内に遮蔽されている。したがって、送風機５から雨滴が飛散してきても、電気部品箱Ｄの窪み部１２ａ内まで届くことは考えられず、問題を生じることはない。
【００６０】
ヒートシンク１３のフィン１３ａ先端部は、インダクタンス２２が収納される第１の収納室Ｄａ下面よりも下方へ突出しているので、送風機５から導かれる外気および送風機５から飛散する雨滴が確実に降りかかり、ヒートシンク１３の放熱作用を助成する。
【００６１】
なお、先に図４および図５で説明したように、ヒートシンク１３の根元部１３ｂに形成される鍔部１３ｃを基板支え１７の嵌め込み部１７ａが掛止し、これを金属板からなる基板収納箱１２でカバーするとともに窪み部１２ａ周縁部で支持する。  
結局は、ヒートシンク１３を金属板からなる基板収納箱１２で支持することとなり、インバータ基板１５にヒートシンク１３の直接的な負荷がかからない。
【００６２】
インターリーブＰＦＣ回路を搭載したインバータ基板１５は、電解コンデンサ２７やインダクタンス２２などの重量の重い部品を実装するため、室外機に電気部品箱Ｄを設置した後、インバータ基板１５にストレスがかかる。
【００６３】
ここでは、ヒートシンク１３をインバータ基板１５で支持するのではなく、電気部品箱Ｄの構成部材で支持し、この一方側にインダクタンス２２を配置し、他方側に電解コンデンサ２７を配置するので、インバータ基板１５にかかるストレスを大幅に低減できる。
【００６４】
図９は、電気部品箱Ｄ内のノイズ対策を説明する電気部品箱の正面からみた断面図である。  
第１の収納室Ｄａに配置されるインダクタンス２２およびコイル、コンデンサ等は、高周波スイッチング部分で高ノイズの発生源（高ノイズ部）となっている。これに対して第２の収納室Ｄｂに配置される電解コンデンサ２７、ノイズフィルタ２８等は、低ノイズ部であって、高ノイズの発生源の影響を受けない位置に配置しなければならない。
【００６５】
ここでは、第１の収納室Ｄａを形成する基板収納箱１２及び基板収納箱カバー１１は金属板からなり、ヒートシンク１３も金属板で形成され、インダクタンス２２等の高ノイズ発生源を囲む。すなわち、インダクタンス２２等の高周波スイッチング部品はインバータ基板１５を除いて周囲を金属材で囲まれ、ノイズの遮断機能を保持する。
【００６６】
いわゆるＥＭＣノイズ（ｅｌｅｃｔｒｏｍａｇｎｅｔｉｃ  ｃｏｍｐａｔｉｂｉｌｉｔｙ）である、インバータ基板１５の電源端子に伝播するノイズを、法規を満足するよう可能な限り低減することができる。
【００６７】
以上、本実施形態を説明したが、上述の実施形態は、例として提示したものであり、実施形態の範囲を限定することは意図していない。この新規な実施形態は、その他の様々な形態で実施されることが可能であり、要旨を逸脱しない範囲で、種々の省略、置換え、変更を行うことができる。これら実施形態やその変形は、発明の範囲や要旨に含まれるとともに、特許請求の範囲に記載された発明とその均等の範囲に含まれる。
【符号の説明】
【００６８】
１ａ…底板、２…仕切り板、５…送風機、４…室外熱交換器、６…熱交換室、７…圧縮機、１０…機械室、Ｄ…電気部品箱、２２…インダクタンス、２３…スイッチング素子、２４…ダイオード、２７…（電解）コンデンサ、１５…インバータ基板、１３…ヒートシンク、２５…ダイオードブリッジ、２６…ＩＰＭ、２０…防水板、２０ａ…開口部。
【図１】
2014044007.tif 000003
【図２】
2014044007.tif 000004
【図３】
2014044007.tif 000005
【図４】
2014044007.tif 000006
【図５】
2014044007.tif 000007
【図６】
2014044007.tif 000008
【図７】
2014044007.tif 000009
【図８】
2014044007.tif 000010
【図９】
2014044007.tif 000011